(57)【特許請求の範囲】
【請求項１】
本文となる本文用紙もしくは表紙となる表紙用紙の少なくとも一方に印刷を施す印刷部と、
前記印刷部で印刷された複数枚の前記本文用紙を整合させる整合部と、
前記本文用紙と前記表紙用紙の間に添付する添付用紙を前記整合部へ送給する添付用紙送給手段と、
前記整合部で整合されてなる用紙束を挟持し、後工程へ前記用紙束を移動させる挟持手段と、
前記挟持手段により挟持された前記用紙束の背表紙側を糊付けし、前記表紙用紙とで成形する成形部と、
前記整合部で前記添付用紙が糊付けされない位置に配置されるように前記添付用紙送給手段又は前記整合部を制御する制御手段とを備えたことを特徴とする製本システム。
【請求項２】
請求項１記載の製本システムにおいて、
前記整合部には、前記本文用紙の搬送方向下流側に設けられて用紙先端が突き当たる先端部材と、該先端部材の搬送方向上流側に設けられ、搬送方向に可動な後端部材とが設けられており、
前記制御手段は、前記本文用紙に対して前記後端部材による整合動作を行うよう前記整合部を制御し、その後、前記添付用紙送給手段で前記添付用紙を送給するように制御することを特徴とする製本システム。
【請求項３】
請求項２記載の製本システムにおいて、
前記制御手段は、
前記添付用紙を前記整合部により整合する際に、
前記搬送方向における、前記添付用紙の長さＡと、前記本文用紙の長さＢと、前記本文用紙が糊付けされる予め決められた所定長さＣとの関係が、
１）  Ａ≦（Ｂ−Ｃ）の時には、前記後端部材の停止位置が前記先端部材からＢだけ離れた位置になるように制御し、
２）  Ａ＞（Ｂ−Ｃ）の時には、前記後端部材の停止位置が前記先端部材から（Ａ＋Ｃ）だけ離れた位置になるように制御する
ことを特徴とする製本システム。
【請求項４】
請求項１〜２のいずれか１項記載の製本システムにおいて、
前記添付用紙の挿入位置を表表紙側か裏表紙側か、ユーザに選択させる選択手段があり、
前記選択手段により表表紙側が選択された場合、前記制御手段は、前記整合部に前記本文用紙がフェイスアップで積載されていくように前記印刷部の印刷順を制御し、
前記選択手段により裏表紙側が選択された場合、前記制御手段は、前記整合部に前記本文用紙がフェイスダウンで積載されていくように前記印刷部の印刷順を制御するよう前記印刷部を制御することを特徴とする製本システム。
【発明の詳細な説明】
【技術分野】
【０００１】
本発明は、本文用紙を背表紙側から表紙用紙で包んで製本する製本システムに関する。
【背景技術】
【０００２】
束ねた本文用紙の背表紙側（背部側）に糊塗布ローラで糊を塗布して背表紙側から表紙用紙で包む、所謂くるみ製本装置を備えた製本システムが広く使用されている（例えば特許文献１参照）。
【先行技術文献】
【特許文献】
【０００３】
【特許文献１】特開２０００−３１８３４６号公報
【発明の概要】
【発明が解決しようとする課題】
【０００４】
このような製本システムでは、製本物に添付用紙を添付する場合、完成した製本物に人手によって一部づつ挿入している。このため、多大な工数増大を招くとともに、挿入忘れが発生することが問題となっている。
【０００５】
本発明は上記課題に鑑みてなされたものであり、製本時に添付用紙を人手を介することなく挿入することができる製本システムを提供することを課題とする。
【課題を解決するための手段】
【０００６】
上記目的を達成するために、本発明に係る製本システムの第１の特徴は、本文となる本文用紙もしくは表紙となる表紙用紙の少なくとも一方に印刷を施す印刷部と、前記印刷部で印刷された複数枚の前記本文用紙を整合させる整合部と、前記本文用紙と前記表紙用紙の間に添付する添付用紙を前記整合部へ送給する添付用紙送給手段と、前記整合部で整合されてなる用紙束を挟持し、後工程へ前記用紙束を移動させる挟持手段と、前記挟持手段により挟持された前記用紙束の背表紙側を糊付けし、前記表紙用紙とで成形する成形部と、前記整合部で前記添付用紙が糊付けされない位置に配置されるように前記添付用紙送給手段又は前記整合部を制御する制御手段とを備えたことにある。
【０００７】
本発明に係る製本システムの第２の特徴は、請求項１記載の製本システムにおいて、前記整合部には、前記本文用紙の搬送方向下流側に設けられて用紙先端が突き当たる先端部材と、該先端部材の搬送方向上流側に設けられ、搬送方向に可動な後端部材とが設けられており、前記制御手段は、前記本文用紙に対して前記後端部材による整合動作を行うよう前記整合部を制御し、その後、前記添付用紙送給手段で前記添付用紙を送給するように制御することにある。
【０００８】
本発明に係る製本システムの第３の特徴は、請求項２記載の製本システムにおいて、前記制御手段は、前記添付用紙を前記整合部により整合する際に、前記搬送方向における、前記添付用紙の長さＡと、前記本文用紙の長さＢと、前記本文用紙が糊付けされる予め決められた所定長さＣとの関係が、１）  Ａ≦（Ｂ−Ｃ）の時には、前記後端部材の停止位置が前記先端部材からＢだけ離れた位置になるように制御し、２）  Ａ＞（Ｂ−Ｃ）の時には、前記後端部材の停止位置が前記先端部材から（Ａ＋Ｃ）だけ離れた位置になるように制御することにある。
【０００９】
本発明に係る製本システムの第４の特徴は、請求項１〜２のいずれか１項記載の製本システムにおいて、前記添付用紙の挿入位置を表表紙側か裏表紙側か、ユーザに選択させる選択手段があり、前記選択手段により表表紙側が選択された場合、前記制御手段は、前記整合部に前記本文用紙がフェイスアップで積載されていくように前記印刷部の印刷順を制御し、前記選択手段により裏表紙側が選択された場合、前記制御手段は、前記整合部に前記本文用紙がフェイスダウンで積載されていくように前記印刷部の印刷順を制御するよう前記印刷部を制御することにある。
【発明の効果】
【００１０】
本発明に係る製本システムの第１の特徴によれば、添付用紙が糊付けされない位置に配置されるので、製本時に添付用紙を人手を介することなく挿入することができる製本システムとすることができる。
【００１１】
本発明に係る製本システムの第２の特徴によれば、本文用紙の整合後に本文用紙束の一番上に添付用紙を載せるので、本文用紙の整合に影響を与えることなく、添付用紙を糊付けしない位置に挿入することができる。
【００１２】
本発明に係る製本システムの第３の特徴によれば、添付用紙の搬送方向長さが、本文用紙の搬送方向長さから糊付け幅を減算した長さ以下のときには上流側揃えになり、本文用紙の搬送方向長さから糊付け幅を減算した長さよりも長いときには糊付け箇所ギリギリの位置にまで整合させることができ、添付用紙の長さに関わらず、添付用紙を効率的に整合させることができる。
【００１３】
本発明に係る製本システムの第４の特徴によれば、添付用紙をユーザの挿入したい側に正しく挿入でき、本文用紙の整合動作も正しく行える。
【図面の簡単な説明】
【００１４】
【図１】第１実施形態の製本システムの概略全体構成図である。
【図２】第１実施形態の製本システムの用紙搬送部、カット部及び搬送切替機構の構成図である。
【図３】図３（ａ）〜（ｃ）は、何れも、第１実施形態で添付用紙の例を示す斜視図である。
【図４】第１実施形態で、右綴じ製本で添付用紙を表表紙とトップページとの間に挿入する場合で、（ａ）は本文用紙の印刷順番を示す説明図、（ｂ）は本文用紙がフェイスアップで積載されていくことを説明する斜視図である。
【図５】第１実施形態で、右綴じ製本で添付用紙を最終ページと裏表紙との間に挿入する場合で、（ａ）は本文用紙の印刷順番を示す説明図、（ｂ）は本文用紙がフェイスダウンで積載されていくことを説明する斜視図である。
【図６】第１実施形態で、（ａ）は整合トレイの側面図、（ｂ）は、本文用紙がフェイスアップで積載された後に添付用紙が更に積載されたことを示す斜視図、（ｃ）は、整合トレイの平面図である。
【図７】図７（ａ）〜（ｄ）は、それぞれ、第１実施形態で製本する各工程毎の斜視図である。
【図８】第１実施形態の製本システムの制御ブロック図である。
【図９】第１実施形態における製本システムの制御フロー図である。
【図１０】第１実施形態における製本システムの制御フロー図である。
【図１１】第２実施形態で、搬送方向における用紙長さの関係を説明する平面図である。
【発明を実施するための形態】
【００１５】
以下、添付図面を参照して、本発明の実施の形態について説明する。以下の説明では、すでに説明したものと同一または類似の構成要素には同一または類似の符号を付し、その詳細な説明を適宜省略している。
【００１６】
また、図面は模式的なものであり、寸法比などは現実のものとは異なることに留意すべきである。従って、具体的な寸法比などは以下の説明を参酌して判断すべきものである。又、図面相互間においても互いの寸法の関係や比率が異なる部分が含まれていることはもちろんである。
【００１７】
また、以下に示す実施の形態は、この発明の技術的思想を具体化するための例示であって、この発明の実施の形態は、構成部品の材質、形状、構造、配置等を下記のものに特定するものではない。この発明の実施の形態は、要旨を逸脱しない範囲内で種々変更して実施できる。
【００１８】
また、以下の説明では、本文用紙としてどのサイズの用紙であっても適用可能である。また、以下の実施の形態では、例えば孔版印刷やインクジェットで印刷するが、他の手法で印刷してもよく、本発明では印刷形式は特に限定されない。また、製本する印刷物の種類や枚数も特に限定されるものではない。また、以下の説明で「添付用紙」とは、紙に限らず、プラスチック製のシート部材や、更にはサンプル（ＣＤなど）を内包する封筒も含む概念である。
【００１９】
［第１実施形態］
まず、第１実施形態について説明する。図１は、本実施形態の製本システム１００の概略全体構成図である。図２は、本実施形態の製本システム１００の用紙搬送部３１０、カット部３３０及び搬送切替機構３３８の構成図である。図３（ａ）〜（ｃ）は、何れも、添付用紙の例を示す斜視図である。図４は、右綴じ製本で添付用紙を表表紙とトップページとの間に挿入する場合で、（ａ）は本文用紙の印刷順番を示す説明図、（ｂ）は本文用紙がフェイスアップで積載されていくことを説明する斜視図である。図５は、右綴じ製本で添付用紙を最終ページと裏表紙との間に挿入する場合で、（ａ）は本文用紙の印刷順番を示す説明図、（ｂ）は本文用紙がフェイスダウンで積載されていくことを説明する斜視図である。なお、図４、図５で、本文用紙ＨＰの隅部に形成された数字は頁番号を示す。
【００２０】
図６で、（ａ）は整合トレイの側面図、（ｂ）は、本文用紙がフェイスアップで積載された後に添付用紙が更に積載されたことを示す斜視図、（ｃ）は、整合トレイの平面図である。図７（ａ）〜（ｄ）は、それぞれ、本実施形態で製本する各工程毎の斜視図である。図８は、本実施形態の製本システムの制御ブロック図である。図９、図１０は、本実施形態における製本システム１００の制御フロー図である。
【００２１】
図１に示すように、本実施形態に係る製本システム１００は、表紙用紙ＦＰ及び本文用紙ＨＰに印刷を行う画像形成装置２００と、この画像形成装置２００に隣接した用紙搬送方向下流の位置に設けられ印刷済みの表紙用紙ＦＰ及び本文用紙ＨＰに対して製本処理を施す製本装置（くるみ製本装置）３００との組み合わせで構成されている。すなわち、製本システム１００は、表紙用紙ＦＰ及び本文用紙ＨＰに印刷を行い、印刷済みの表紙用紙ＦＰ及び本文用紙ＨＰに対して製本処理を施すことにより、冊子(製本物)４４０を作製するシステムである。
【００２２】
（画像形成装置）
製本システム１００における画像形成装置２００には、インクジェット方式の画像形成部２３０が設けられており、この画像形成部２３０は、表紙画像データ及び本文画像データに基づいて表紙用紙ＦＰ及び本文用紙ＨＰに印刷を行うものである。また、画像形成部２３０は、ブラックＫ、シアンＣ、マゼンタＭ、イエローＹの各色のインクを吐出する複数のライン型のインクヘッドを備えている。
【００２３】
画像形成部２３０の用紙搬送方向上流には、表紙用紙ＦＰが積載収容された第１給紙部２１０及び、本文用紙ＨＰが収容された第２給紙部２２０が設けられている。また、第２給紙部２２０には、第１給紙トレイ２２０ａ、第２給紙トレイ２２０ｂ、第３給紙トレイ２２０ｃが設けられており、様々な用紙種類、用紙サイズの本文用紙ＨＰを収容することが可能である。この第１給紙部２１０及び第２給紙部２２０から、図示しない給紙ローラで1枚ずつ捌きながら画像形成部２３０へ所定のタイミングで順次給紙搬送することが可能である。なお、必ずしも表紙用紙ＦＰを第１給紙部２１０に、本文用紙ＨＰを第２給紙部２２０に収容する必要はなく、いずれの給紙部に収容しても問題ない。
【００２４】
画像形成部２３０の用紙搬送方向下流には循環搬送路２５０が設けられ、印刷された用紙はこの循環搬送路２５０を介して、さらに下流に設けられた排紙部２８０へと排紙される。なお、排紙部２８０へ排紙される用紙は、後述する製本処理を行わない場合に利用される。また、循環搬送路２５０には図示しない経路切り替え用フラッパが設けられ、排紙部２８０へ搬送する経路と、反転部２４０へ搬送する経路とを切り替え可能になっている。反転部２４０に搬送された用紙は表裏反転され、スイッチバックすることで再度画像形成部２３０へと搬送される。これにより、表紙用紙ＦＰ及び本文用紙ＨＰに両面印刷を行うことが可能となる。
【００２５】
片面印刷又は両面印刷された表紙用紙ＦＰ及び本文用紙ＨＰは、画像形成部２３０の用紙搬送方向下流に設けられた連絡搬送部２６０を介して、製本装置３００へと搬送される。なお、連絡搬送路２６０と循環搬送路２５０には、経路切り替え用のフラッパが設けられ、適宜経路が選択される。
【００２６】
画像形成装置２００の上面には、入力パネル２７０が設けられている。この入力パネル２７０には、冊子作成実行を指示するスタートボタン、クリーニング動作のON/OFFが選択できるクリーニングモード選択や、用紙サイズの選択など各種設定を行うタッチパネルなどが設けられている。スキャナ等から読み込ませた画像データを用いて冊子を形成する場合、この入力パネル２７０から各種設定を行うことも可能だが、通常、通信インターフェイスを介して接続されたパーソナルコンピュータからジョブデータを受信し、ジョブデータに含まれる操作信号によりユーザの設定を受け付ける(図示省略)。なお、製本システム１００にＰＣ（パーソナルコンピュータ）を接続し、入力パネル２７０からでなくＰＣ画面から入力するようにしてもよい。
【００２７】  このように構成された画像形成装置２００では、添付用紙ＡＰの挿入位置（表表紙側、裏表紙側）、および、製本時の綴じる側（右綴じ製本、左綴じ製本）の設定に応じて、本文用紙ＨＰの印刷順序および添付用紙ＡＰの挿入位置が決められるように、後述の制御部２９０が制御している。例えば、図４に示すように、右綴じ製本で添付用紙ＡＰを表表紙とトップ頁との間に挿入する場合には、最終頁から降順に、画像を装置前向きになる方向で印刷して、整合トレイ３５２には印刷された本文用紙ＨＰがフェイスアップで積載されていき、図５に示すように、右綴じ製本で添付用紙ＡＰを最終頁と裏表紙との間に挿入する場合には、先頭頁（トップ頁）から昇順に、画像を装置背面向き（装置後向き）になる方向で印刷して、整合トレイ３５２には印刷された本文用紙ＨＰがフェイスダウンで積載されていくように制御されている。なお、添付用紙ＡＰとしては薄く平滑なものであり、例えば、ＣＤなどのサンプル同梱品Ａ１（図３（ａ）参照）、返信用はがきＡ２（図３（ｂ）参照）、名刺Ａ３（図３（ｃ）参照）、サンプル画像紙である。
【００２８】
（製本装置）
画像形成システム１００における製本装置３００には、画像形成装置２００側の連絡搬送路２６０から送り出された印刷済みの表紙用紙ＦＰ及び本文用紙ＨＰを搬送する用紙搬送部３１０が設けられている。この用紙搬送部３１０に隣接する位置に、表紙用紙ＦＰを適当なサイズに断裁するカット部３３０が設けられており、後述する搬送切替機構３３８により、表紙用紙ＦＰをカット部３３０へと搬送し、カット動作を実行する。表紙用紙ＦＰ及び本文用紙ＨＰは、それぞれ用紙搬送部３１０を介して、成形部３８０及び整合部３５０へと搬送される。なお、用紙搬送部３１０には、成形部３８０と整合部３５０との搬送経路を切り替える機構が設けられている(図示省略)。
【００２９】
整合部３５０には、搬送されてきた本文用紙ＨＰを順次積載する整合トレイ３５２が設けられている。整合トレイ３５２には、本文用紙ＨＰの用紙搬送方向の位置決めを行う整合用の先端ガイド（突き当てフェンス）３５４と、先端ガイド３５４の搬送方向上流側に設けられ、搬送方向に可動する後端ガイド（後端フェンス）３５５と、本文用紙ＨＰの幅方向の位置を整合する整合用のサイドガイド（サイドフェンス）３５６と、が設けられている。この構成により、全ての本文用紙ＨＰが搬送され収容されたタイミングで後端ガイド３５５の整合動作によって本文用紙ＨＰの位置が整い、更に添付用紙ＡＰが収容された後に、後端ガイド３５５の整合動作によって本文用紙ＨＰおよび添付用紙ＡＰの位置が整い、用紙束ＴＰ（図１参照）として収容される。
【００３０】
また、図８に示すように、整合部３５０には、後端ガイドホーム位置センサ３５０ｂと、後端ガイド移動パルスモータ３５０ｃと、送り込みローラ駆動パルスモータ３５０ｄと、が設けられている。後端ガイドホーム位置センサ３５０ｂは、後端ガイド３５５のホームポジションを検出する。後端ガイド移動パルスモータ３５０ｃは、後端ガイド３５５に移動力を付与する。送り込みローラ駆動パルスモータ３５０ｄは、送り込みローラ３４８に回転力を付与する。
【００３１】
整合トレイ３５２の搬送方向上流側には、整合トレイ３５２に用紙を送る送り込みローラ３４８が配置されている。この送り込みローラ３４８の周速度は、本文用紙ＨＰを送るときには本文用紙ＨＰの先端が先端ガイド３５４に到達する速度になり、添付用紙ＡＰを送るときには添付用紙ＡＰが本文用紙ＨＰの上に糊付けされない位置に載置される速度になるように、後述の制御部２９０で設定されている。
【００３２】
また、製本装置３００には、整合トレイ３５２に添付用紙ＡＰを入れる添付用紙挿入部３０２が装置上部に設けられている。添付用紙挿入部３０２は、装置上側から添付用紙ＡＰを入れる挿入部３０４と、挿入部３０４に挿入された添付用紙ＡＰを送り込みローラ３４８の搬送方向上流側に案内する案内部３０６と、を有する。添付用紙挿入部３０２の搬送方向下流側には本文用紙ＨＰと添付用紙ＡＰの搬送方向長さを測定する用紙長さ測定センサ３４６（図１参照）が配置されている。
【００３３】
なお、添付用紙ＡＰがサンプル（ＣＤなど）を内包する封筒のように厚みのある添付物の場合、添付用紙挿入部３０２に代えて、装置筐体の上部を構成する開閉扉３０７と、開閉扉３０７から入れられた添付用紙ＡＰを整合トレイ３５２に案内する挿入ガイド３０８とを有する添付用紙挿入部３０９を設け、送り込みローラ３４８を通過させずに添付用紙ＡＰを本文用紙上に載置する構成にしてもよい。また、添付用紙挿入部３０２に代えて、画像形成装置２００から添付用紙ＡＰに印刷を施した上で製本装置に送り、送り込みローラ３４８を経由させて添付用紙ＡＰを本文用紙上に載置する構成にしてもよい。
【００３４】
また、製本装置３００は、整合部３５０から用紙束ＴＰをクランパ３７２で挟持するクランプ部３７０を備えている。クランプ部３７０は、図示しない移動機構により整合部３５０から用紙束ＴＰを受け取る受渡位置と、成形部３８０へ受け渡す綴じ位置との間で移動可能に設けられている。整合トレイ３５２に入れられた添付用紙ＡＰは、本文用紙ＨＰと一緒に用紙束ＴＰとなってクランプ部３７０にクランプされるようになっている。
【００３５】
また、図８に示すように、クランプ部３７０には、用紙束厚さ検出センサ３７０ａと、クランプ開閉ホーム位置センサ３７０ｂと、クランプ移動ホーム位置センサ３７０ｃと、クランプ開閉パルスモータ３７０ｄと、クランプ移動パルスモータ３７０ｅが設けられている。用紙束厚さ検出センサ３７０ａは、用紙束ＴＰをクランパ３７２で挟持したときに用紙束ＴＰの厚みを検出する。クランプ開閉ホーム位置センサ３７０ｂは、クランパ３７２の開閉に関するホームポジションを検出する。クランプ移動ホーム位置センサ３７０ｃは、クランプ部３７０の移動に関するホームポジションを検出する。クランプ開閉パルスモータ３７０ｄは、クランパ３７２に開閉力を与える。クランプ移動パルスモータ３７０ｅは、クランプ部３７０に移動力を与える。
【００３６】
また、受渡位置に位置したときのクランプ部３７０の近傍には、製本用糊付装置３６０が設けられている。製本用糊付装置３６０には、糊を収容する糊収容部（糊槽）３６４と、糊を用紙束ＴＰに塗布するための糊塗布ローラ３６２とが設けられている。糊塗布ローラ３６２は長尺状であり、糊収容部３６４の内側に水平な回転軸回りに保持されている。ここで、糊（接着剤）は用紙束を一体的に糊付けする役割と表紙用紙を用紙束に固定する役割とを果たしている。
【００３７】
図１、図７に示すように、成形部３８０には、用紙搬送部３１０から搬送された表紙用紙ＦＰが上側に載置される背折りプレート３８６と、背折りプレート３８６よりも下方に設けられ、クランプ部３７０によって綴じ位置に運ばれてくる用紙束ＴＰの背部側が表紙用紙ＦＰを介して当接する突き当てプレート３８８と、が設けられている。
【００３８】
また、図８に示すように、成形部３８０には、表紙位置検出センサ３８０ａと、背折りプレートホーム位置センサ３８０ｂと、突き当てプレートホーム位置センサ３８０ｃと、表紙搬送モータ３８０ｄと、背折りプレート移動パルスモータ３８０ｅと、突き当てプレート移動パルスモータ３８０ｆと、が設けられている。表紙位置検出センサ３８０ａは、表紙用紙ＦＰの位置を検出する。背折りプレートホーム位置センサ３８０ｂは、背折りプレート３８６の位置を検出する。突き当てプレートホーム位置センサ３８０ｃは、突き当てプレート３８８のホームポジションを検出する。表紙搬送モータ３８０ｄは、表紙用紙ＦＰに搬送力を与える。背折りプレート移動パルスモータ３８０ｅは、背折りプレート３８６に移動力を与える。突き当てプレート移動パルスモータ３８０ｆは、突き当てプレート３８８に移動力を与える。
【００３９】
冊子排出部３９０には、成形部３８０で綴じられて成形された冊子４４０（図１、図７（ｄ）参照）が、成形部３８０から搬送され、複数収容可能になっている。なお、本実施形態では、成形部３８０からの搬送は、冊子４４０の自由落下を利用している。
【００４０】
図２に示すように、用紙搬送部３１０には用紙搬送方向上流から順に、第１搬送ローラ３１２、第２搬送ローラ３１４、搬送基準ローラ３１６、搬送基準補助ローラ３２２の順にローラ対が配置されている。なお、搬送基準ローラ３１６には表紙用紙ＦＰの搬送量を制御するための搬送基準エンコーダ３１８が設けられ、搬送基準ローラ３１６と搬送基準補助ローラ３２２の間には、表紙用紙ＦＰの用紙搬送方向長さを検出するための表紙用紙サイズセンサ３２０が設けられている。
【００４１】
第１搬送ローラ３１２と第２搬送ローラ３１４の間には、搬送切替機構３３８が設けられ、第１搬送ローラ３１２と第２搬送ローラ３１４との間で搬送可能にする通常搬送経路３３８ａと、第２搬送ローラ３１４とカット部３３０との間で搬送可能にするカット用搬送経路３３８ｂとの２つの経路を、図示しない駆動機構を用いて切替支点３３８ｃを中心に回動することで切替可能になっている。
【００４２】
カット部３３０には、搬送経路切替機構３３８に近い位置から、カット補助ローラ３３６と、カッター３３４と、屑入れ３３２が設けられている。カッター３３４は、シャトルカッターであり、刃が表紙用紙ＦＰの幅方向に往復移動することで裁断を行うことができる。カット補助ローラ３３６は、表紙用紙ＦＰをカッター３３４で裁断する際に、表紙用紙ＦＰを保持する役目を持っている。屑入れ３３２は、カットされた時に不要となる表紙用紙不要部分を収容できるようになっている。また、ユーザが屑入れ３３２に収容された表紙用紙不要部分を装置外へ破棄できるように、取り外し可能に設置されている。
【００４３】
（制御部）
図８に示すように、製本システム１００には、制御部２９０が設けられている。この制御部２９０は、入力パネル２７０、搬送基準エンコーダ３１８（図２参照）、表紙用紙サイズセンサ３２０などによる入力情報を元に、画像形成装置２００および製本装置３００の各部を制御している。
【００４４】
この制御部２９０は、用紙サイズ等を記憶する記憶手段２８４、印刷ページの順序を決める印刷ページ順序決定手段２８５、および、印刷する際の画像の方向を決める画像方向決定手段２８６を備えている。更に、制御部２９０は、表紙用紙ＦＰのカット長さを算出するカット長算出手段２８７、添付用紙ＡＰを所定のタイミングで挿入するための添付用紙挿入部制御手段２８８、製本用糊付装置３６０の駆動を制御する糊付装置制御手段２８９、および、タイマー手段２９１を備えている。
【００４５】
添付用紙挿入部制御手段２８８は、後端ガイド移動量算出手段２９２と、送り込みローラ速度決定手段２９３と、添付用紙挿入タイミング決定手段２９４とを備えている。
【００４６】
添付用紙挿入部制御手段２８８では、整合トレイ３５２に送られる用紙が本文用紙ＨＰか添付用紙ＡＰかにより、送り込みローラ速度決定手段２９３によって送り込みローラ３４８の回転速度が決定される。また、添付用紙挿入タイミング決定手段２９４によって、添付用紙挿入部３０２から入れられた待機状態の添付用紙ＡＰを整合トレイ３５２に送り出すタイミングが決定される。なお、添付用紙挿入タイミング決定手段２９４を設けずに、使用者が適切なときを見計らって添付用紙挿入部３０２から添付用紙ＡＰを投入して直ちに整合トレイ３５２に送られるように手動形式とすることも可能である。
【００４７】
糊付装置制御手段２８９は、クランプ部３７０で本文用紙ＨＰをクランプする動作に伴い、糊塗布ローラ３６２を回転させて塗布位置で停止させ、本文用紙ＨＰの背表紙側への糊の塗布終了後、糊塗布ローラ３６２を回転させて待機位置で停止させるように制御している。
【００４８】
タイマー手段２９１は、上述した表紙位置検出センサ３８０ａからの信号を受けて、成形部３８０で本文用紙ＨＰと表紙用紙ＦＰとが良好に成形されるように制御するものである。
【００４９】
（作用、効果）
次に本実施形態の画像形成システム１００の動作について、図を用いて説明する。上述したように、図９、図１０は、本実施形態における製本システム１００の制御フロー図である。なお、以下の説明では、添付用紙挿入部３０２から添付用紙ＡＰを挿入することに代えて、画像形成装置２００から添付用紙ＡＰに印刷を施して製本装置３００に搬送する場合も併せて説明する。従って、図９で「印刷／手差し」とは、この両者を併せて説明している。
【００５０】
まず、入力パネル２７０にて、印刷製本動作の開始を指令するスタートボタンを押す（Ｓ１）と、送り込みローラ３４８の回転速度が所定の高速に設定される（Ｓ２）。
【００５１】
そして、添付用紙ＡＰを入れるモードか否かを判断する（Ｓ３）。Ｙｅｓの場合には、添付用紙ＡＰの挿入位置が表表紙側か否かを判断し（Ｓ４）、Ｙｅｓの場合には右綴じ製本か否かを判断する（Ｓ５）。Ｙｅｓ（右綴じ製本）である場合には、本文用紙ＨＰへの印刷を開始し、右綴じ製本用に最終頁から降順に画像を装置前向きで印刷し、この結果、フェイスアップで整合トレイ３５２に積載されていく（Ｓ６）。
【００５２】
Ｓ５でＮｏ（左綴じ製本）である場合には、本文用紙ＨＰへの印刷を開始し、左綴じ製本用に最終頁から降順に画像を装置後向きで印刷し、この結果、フェイスアップで整合トレイ３５２に積載されていく（Ｓ７）。
【００５３】
Ｓ３でＮｏの場合（添付用紙ＡＰを入れるモードでない場合）には、右綴じ製本か否かを判断する（Ｓ８）。Ｙｅｓ（右綴じ製本）である場合には、本文用紙ＨＰへの印刷を開始し、右綴じ製本用に先頭頁から昇順に画像を装置後向きで印刷し、この結果、フェイスダウンで整合トレイ３５２に積載されていく（Ｓ９）
Ｓ８でＮｏ（左綴じ製本）である場合には、本文用紙ＨＰへの印刷を開始し、左綴じ製本用に先頭頁から昇順に画像を装置前向きで印刷し、この結果、フェイスダウンで整合トレイ３５２に積載されていく（Ｓ１０）。
【００５４】
そして、本文用紙ＨＰの搬送方向長さを用紙長さ測定センサ３４６で検出する（Ｓ１１）。なお、画像形成装置２００から転送したサイズのデータに基づいてこの搬送方向長さを算出してもよい。
【００５５】
そして、本文用紙ＨＰの印刷が完了したか否かを判断する（Ｓ１２）。Ｎｏの場合にはＳ１１へ戻る。Ｙｅｓの場合には、本文用紙ＨＰの整合を行う。すなわち、本文用紙ＨＰが先端ガイド３５４に突き当たるまで後端ガイド３５５を移動させる（Ｓ１３−１）。そして、添付用紙ＡＰを入れるモードか否かを判断する（Ｓ１３−２）。Ｙｅｓの場合には、送り込みローラ３４８の回転速度を規定の低速に設定し、添付用紙挿入部３０２から添付用紙ＡＰを入れるか、または画像形成装置２００で添付用紙ＡＰに印刷し、製本装置３００へ搬出して本文用紙ＨＰ上に配置する（Ｓ１４）。
【００５６】
そして、添付用紙ＡＰの搬送方向長さを用紙長さ測定センサ３４６で検出し（Ｓ１５）、添付用紙ＡＰの手差し、または、画像形成装置２００で印刷した添付用紙ＡＰの配置が完了したか否かを判断する（Ｓ１６）。Ｎｏの場合にはＳ１５へ戻る。Ｙｅｓの場合には、「添付用紙ＡＰの搬送方向長さ」が「本文用紙ＨＰの搬送方向長さから１０ｍｍ減算した値」以下か否かを判断する（Ｓ１７）。Ｙｅｓの場合には、「先端ガイド３５４と後端ガイド３５５との間隔」が「本文用紙ＨＰの搬送方向長さ」になるまで後端ガイド３５５を移動させる（Ｓ１８）。そして、クランパ３７２で挟持した本文用紙ＨＰと添付用紙ＡＰを製本用糊付装置３６０にまで移動させる（Ｓ１９）。
【００５７】
Ｎｏの場合には、「先端ガイド３５４と後端ガイド３５５との間隔」が「添付用紙ＡＰの搬送方向長さ＋１０ｍｍ」になるまで後端ガイド３５５を移動させる（Ｓ２０）。そして、添付用紙ＡＰが製本物からはみ出る旨をパネルに表示し、使用者に折り処理の付加要否を確認させ（Ｓ２１）、製本動作を中断するか否かを判断する（Ｓ２２）。Ｎｏの場合にはＳ１９を行う。Ｙｅｓの場合には、印刷製本動作を中断し、整合トレイ３５２の用紙の取除き指示をパネルに表示する（Ｓ２３）。そして後述のＳ３４へ移動し、印刷製本動作が完了する。
【００５８】
Ｓ１９を行った後には、本文用紙ＨＰの背部だけに糊（接着剤）を塗布し（Ｓ２４）クランパ３７２で挟んだ本文用紙ＨＰと添付用紙ＡＰを垂直に立てて成形部３８０に移動させ、本文用紙ＨＰの背部を表紙用紙ＦＰに押し当てる（Ｓ２５）。そして、背折りプレート３８６をＱ１地点（図７（ｂ）参照）にまで閉じ、表紙用紙ＦＰを折り畳む（Ｓ２６）。
【００５９】
その後、冷却時間として５秒経過したか否かを判断する（Ｓ２７）。経過したならばクランパ３７２を開放し、この結果、添付用紙ＡＰが背表紙側に落下移動する（Ｓ２８）。そして、背折りプレート３８６をＱ２地点（図７（ｃ）参照）にまで更に移動させて表紙用紙ＦＰを更に折り畳む（Ｓ２９）。
【００６０】
そして待機時間２秒が経過したか否かを判断する（Ｓ３０）。経過したならば背折りプレート３８６と突き当てプレート３８８とを開放し（Ｓ３１）、製本物搬送部３９６（図８参照）で製本物を収納トレイへ搬送する（Ｓ３２）。
【００６１】
そして、設定された製本の製造が全て完了したか否かを判断する（Ｓ３３）。Ｎｏの場合にはＳ２へ戻り、Ｙｅｓの場合には、印刷製本動作を完了する（Ｓ３４）。
【００６２】
以上説明したように、本実施形態によれば、整合部３５０で本文用紙ＨＰが整合された後、整合部３５０にて添付用紙ＡＰが糊付けされない位置に挿入される。従って、製本システム１００では、製本時に添付用紙を人手を介することなく挿入することができる。
【００６３】
また、添付用紙挿入部３０２を設けることで、画像形成装置２００で搬送できないサイズや厚みの添付用紙を添付して製本することが可能になる。
【００６４】
また、整合部３５０には、本文用紙ＨＰの搬送方向下流側に設けられて用紙先端が突き当たる先端ガイド３５４と、先端ガイド３５４の搬送方向上流側に設けられ、搬送方向に可動な後端ガイド３５５とが設けられており、制御部２９０は、本文用紙ＨＰに対して後端ガイド３５５による整合動作を行うよう整合部３５０を制御し、その後、添付用紙ＡＰを挿入するように添付用紙挿入部３０２を制御する。従って、本文用紙ＨＰの整合に影響を与えることなく、添付用紙ＡＰを糊付けしない位置に挿入することができる。
【００６５】
また、添付用紙ＡＰの挿入位置を表表紙側か裏表紙側か、ユーザに選択させる選択手段（上述したＳ４）があり、Ｓ４で表表紙側が選択された場合、制御部２９０は、整合部３５０に本文用紙ＨＰがフェイスアップで積載されていくように画像形成装置２００の印刷順を制御し、Ｓ４で裏表紙側が選択された場合、制御部２９０は、整合部３５０に本文用紙ＨＰがフェイスダウンで積載されていくように画像形成装置２００の印刷順を制御する。従って、添付用紙ＡＰをユーザの挿入したい側に正しく挿入でき、本文用紙ＨＰの整合動作も正しく行える。
【００６６】
なお、送り込みローラ３４８で添付用紙ＡＰを規定位置に配置することが難しい場合には、添付用紙ＡＰの挿入後、後端ガイド３５５で添付用紙ＡＰを整合位置に移動させることで規定位置に配置することができる。添付用紙挿入部３０２に代えて添付用紙挿入部３０９を設けた場合では、この効果がより大きい。
【００６７】
また、上述の添付用紙挿入部３０９を設けた場合には、添付用紙ＡＰは送り込みローラ３４８を通過しないので、Ｓ１４では送り込みローラ３４８の回転速度を変更しなくてもよい。
【００６８】
［第２実施形態］
次に、第２実施形態について説明する。図１１は、本実施形態で、搬送方向における用紙長さの関係を説明する平面図である。
【００６９】
本実施形態では、図１１に示すように、制御部２９０が、搬送方向における、添付用紙ＡＰの長さＡと、本文用紙ＨＰの長さＢと、本文用紙ＨＰが糊付けされる予め決められた所定長さＣとの関係が、１）Ａ≦（Ｂ−Ｃ）の時には、後端ガイド３５５の停止位置が先端ガイド３５４からＢだけ離れた位置になるように制御し（すなわち、本文用紙ＨＰと同様に添付用紙ＡＰを制御し）、
本文用紙ＨＰと同様に添付用紙ＡＰを整合し、２）Ａ＞（Ｂ−Ｃ）の時には、後端ガイド３５５の停止位置が先端ガイド３５４から（Ａ＋Ｃ）だけ離れた位置になるように制御する。
【００７０】
これにより、添付用紙ＡＰの搬送方向長さが、本文用紙ＨＰの搬送方向長さから糊付け幅を減算した長さ以下のときには上流側揃えになり、本文用紙ＨＰの搬送方向長さから糊付け幅を減算した長さよりも長いとき、すなわち、添付用紙ＡＰの搬送方向長さが上流側揃えできないほど長いときには、糊付け箇所ギリギリの位置にまで整合させることができ、添付用紙ＡＰの搬送方向長さに関わらず、添付用紙ＡＰを効率的に整合させることができる。
【符号の説明】
【００７１】
１００  製本システム
２００  画像形成装置（印刷部）
２９０  制御部（制御手段、選択手段）
３５０  整合部
３５４  先端ガイド（先端部材）
３５５  後端ガイド（後端部材）
３０２  添付用紙挿入部（添付用紙送給手段）
３７０  クランプ部（挟持手段）
３８０  成形部
ＡＰ  添付用紙
ＦＰ  表紙用紙
ＨＰ  本文用紙
ＴＰ  用紙束
【図１】
0005827877.tif 000002
【図２】
0005827877.tif 000003
【図３】
0005827877.tif 000004
【図４】
0005827877.tif 000005
【図５】
0005827877.tif 000006
【図６】
0005827877.tif 000007
【図７】
0005827877.tif 000008
【図８】
0005827877.tif 000009
【図９】
0005827877.tif 000010
【図１０】
0005827877.tif 000011
【図１１】
0005827877.tif 000012